【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
表示装置用基板と、
前記基板上に形成されている温度感知線と
を含み、
前記温度感知線は導電体である表示装置用温度センサ。
【請求項２】
前記温度感知線は蛇行形状を有する、請求項１に記載の表示装置用温度センサ。
【請求項３】
前記温度感知線は、アルミニウム（Ａｌ）またはアルミニウム合金からなる下部膜と、モリブデン（Ｍｏ）またはモリブデン合金からなる上部膜とを含む、請求項１に記載の表示装置用温度センサ。
【請求項４】
前記温度感知線は、アルミニウム、銅（Ｃｕ）、白金（Ｐｔ）、クロム（Ｃｒ）及びモリブデンのうちの一つからなる、請求項１に記載の表示装置用温度センサ。
【請求項５】
前記温度感知線上に形成されている絶縁膜をさらに含み、
前記絶縁膜は前記温度感知線の両端部を露出する第１及び第２コンタクトホールを有する、請求項１に記載の表示装置用温度センサ。
【請求項６】
前記温度感知線の比抵抗は温度変化によって線形的に変化する、請求項１に記載の表示装置用温度センサ。
【請求項７】
前記表示装置は、
前記基板上に形成されているゲート線と、
前記ゲート線上に形成されている第１絶縁膜と、
前記第１絶縁膜上に形成されているデータ線と、
前記データ線上に形成されている第２絶縁膜と
を含む、請求項１に記載の表示装置用温度センサ。
【請求項８】
前記温度感知線は前記ゲート線と同一層に形成されている、請求項７に記載の表示装置用温度センサ。
【請求項９】
前記温度感知線は前記データ線と同一層に形成されている、請求項７に記載の表示装置用温度センサ。
【請求項１０】
前記データ線は、モリブデンまたはモリブデン合金からなる下部膜、アルミニウムまたはアルミニウム合金からなる中間膜、及びモリブデンまたはモリブデン合金からなる上部膜を含む、請求項９に記載の表示装置用温度センサ。
【請求項１１】
前記第１または第２絶縁膜は、前記温度感知線の両端部を各々露出する第１及び第２コンタクトホールを有する、請求項７に記載の表示装置用温度センサ。
【請求項１２】
前記表示装置は、前記第１及び第２コンタクトホールを通して前記温度感知線の端部に接続されるコンタクト補助部材をさらに含む、請求項５または１１に記載の表示装置用温度センサ。
【請求項１３】
基板と、
前記基板上に形成されており、ゲート電極とソース及びドレイン電極とを備えた薄膜トランジスタと、
前記基板上に形成されている温度感知線と
を含み、
前記温度感知線は前記ゲート電極または前記ソース及びドレイン電極と同一層に形成されている薄膜トランジスタ表示板。
【請求項１４】
前記温度感知線は蛇行形状を有する、請求項１３に記載の薄膜トランジスタ表示板。
【請求項１５】
前記温度感知線は、アルミニウム（Ａｌ）またはアルミニウム合金からなる下部膜と、モリブデン（Ｍｏ）またはモリブデン合金からなる上部膜とを含む、請求項１３に記載の薄膜トランジスタ表示板。
【請求項１６】
前記温度感知線は、アルミニウム、銅（Ｃｕ）、白金（Ｐｔ）、クロム（Ｃｒ）及びモリブデンのうちの一つからなる、請求項１３に記載の薄膜トランジスタ表示板。
【請求項１７】
前記温度感知線は、モリブデンまたはモリブデン合金からなる下部膜、アルミニウムまたはアルミニウム合金からなる中間膜、及びモリブデンまたはモリブデン合金からなる上部膜を含む、請求項１３に記載の薄膜トランジスタ表示板。
【請求項１８】
前記温度感知線の比抵抗は温度変化によって線形的に変化する、請求項１３に記載の薄膜トランジスタ表示板。
【請求項１９】
前記薄膜トランジスタに接続されている画素電極をさらに含む、請求項１３に記載の薄膜トランジスタ表示板。
【請求項２０】
前記温度感知線上に形成されている絶縁膜をさらに含む、請求項１９に記載の薄膜トランジスタ表示板。
【請求項２１】
前記絶縁膜は、前記ゲート電極上に形成されている第１層と、前記ソース及びドレイン電極上に形成されている第２層とを含む、請求項２０に記載の薄膜トランジスタ表示板。
【請求項２２】
前記第２層は前記ドレイン電極の一部を露出する第１コンタクトホールを有する、請求項２１に記載の薄膜トランジスタ表示板。
【請求項２３】
前記第１または第２層は、前記温度感知線の両端部を各々露出する第２及び第３コンタクトホールを有する、請求項２２に記載の薄膜トランジスタ表示板。
【請求項２４】
前記第２及び第３コンタクトホールを通じ、前記温度感知線の両端部に各々接続されるコンタクト補助部材をさらに含む、請求項２３に記載の薄膜トランジスタ表示板。
【請求項２５】
前記コンタクト補助部材は前記画素電極と同一層に形成されている、請求項２４に記載の薄膜トランジスタ表示板。
【請求項２６】
複数の画素と、
前記画素に接続されている第１信号線と、
前記画素に接続されていて、前記第１信号線と交差する第２信号線と、
前記第１及び第２信号線と離隔している温度感知線と
を含み、
前記温度感知線は前記第１または第２信号線と同一層に形成されている液晶表示装置。
【請求項２７】
前記温度感知線からの信号に基づいて前記画素の表示を制御する信号制御部をさらに含む、請求項２６に記載の液晶表示装置。
【請求項２８】
前記信号制御部からの補正映像信号をデータ信号に変換して前記第１信号線に印加するデータ駆動部と、前記画素の動作を制御するゲート信号を前記第２信号線に印加するゲート駆動部とをさらに含む、請求項２７に記載の液晶表示装置。
【請求項２９】
前記信号制御部は外部から映像信号を受信し、直前の映像信号に基づいて前記映像信号を補正した前記補正映像信号を出力し、
前記映像信号の補正は前記温度感知線からの信号によって変化する、請求項２８に記載の液晶表示装置。
【請求項３０】
液晶表示板アセンブリを含む液晶表示装置の駆動回路であって、
第１電圧を生成するＤＶＲ（ｄｉｇｉｔａｌ  ｖａｒｉａｂｌｅ  ｒｅｓｉｓｔｏｒ）と、
前記ＤＶＲに接続されており、第２電圧を生成する温度センサ部と、
前記温度センサ部に接続されており、前記第２電圧と前記液晶表示板アセンブリからの第３電圧とに基づいて共通電圧を生成する共通電圧生成部と
を含む液晶表示装置の駆動回路。
【請求項３１】
前記温度センサ部は、
駆動電圧と接地電圧との間に接続されている第１及び第２抵抗と、
前記第１抵抗と前記第２抵抗との間の接続点と前記第１電圧との間に接続されている第３抵抗と
を含み、
前記第１抵抗は前記液晶表示装置の温度によって変化する温度センサである、請求項３０に記載の液晶表示装置の駆動回路。
【請求項３２】
前記温度センサの抵抗値は前記液晶表示装置の温度に比例する、請求項３１に記載の液晶表示装置の駆動回路。
【請求項３３】
前記共通電圧生成部は、反転端子が第４抵抗及び第５抵抗を通じて各々前記第３電圧と出力端に接続されており、非反転端子が前記接続点に接続されている演算増幅器を含む、請求項３２に記載の液晶表示装置の駆動回路。
【請求項３４】
液晶表示板アセンブリを備えた液晶表示装置と、
前記液晶表示装置を撮像する撮像装置と、
前記液晶表示装置及び前記撮像装置に接続されている電子装置と
を含み、
前記液晶表示装置は、
第１電圧を生成するＤＶＲと、
前記ＤＶＲに接続されており、第２電圧を生成する温度センサ部と、
前記温度センサ部に接続されており、前記第２電圧と前記液晶表示板アセンブリからの第３電圧とに基づいて共通電圧を生成する共通電圧生成部と
を含む
フリッカ調整システム。
【請求項３５】
前記温度センサ部は、
駆動電圧と接地電圧との間に接続されている第１及び第２抵抗と、
前記第１抵抗と前記第２抵抗との間の接続点と前記第１電圧との間に接続されている第３抵抗と
を含み、
前記第１抵抗は前記表示装置の温度によって変化する温度センサである、請求項３４に記載のフリッカ調整システム。
【請求項３６】
前記温度センサの抵抗値は前記表示装置の温度に比例する、請求項３５に記載のフリッカ調整システム。
【請求項３７】
前記共通電圧生成部は、反転端子が第４抵抗及び第５抵抗を通じて各々前記第３電圧と出力端に接続されており、非反転端子が前記接続点に接続されている演算増幅器を含む、請求項３６に記載のフリッカ調整システム。